(57)【要約】【課題】  特定ユーザ向けの無線基地局装置において、ユーザが、無線基地局装置に登録されている利用可能な端末の番号を容易に確認することができ、利便性を向上させることができる無線基地局装置を提供する。【解決手段】  近距離通信インタフェース部１３で、表示端末２０からの利用可能端末番号の要求を受信すると、演算部１１が、メモリ１２に記憶されている利用可能端末番号のデータを読み出して、当該データを近距離通信インタフェース部１３を介して要求元の表示端末２０に送信すると共に、操作部１５からの利用可能端末番号の表示の指示に応じて、メモリ１２から利用可能端末番号のデータを読み出して、表示部１４に表示する無線基地局装置である。【選択図】        図２
2009105608.tif 000002
【特許請求の範囲】
【請求項１】
無線通信システムにおいて、予め登録された特定の利用可能端末との無線通信を行う無線基地局装置であって、
前記利用可能端末の端末番号を記憶する記憶部と、
指示を入力する入力部と、
情報を表示する表示部と、
前記入力部から利用可能端末の端末番号を表示する指示が入力されると、前記記憶部に登録されている利用可能端末の端末番号を読み出して、前記表示部に表示出力する演算部とを備えたことを特徴とする無線基地局装置。
【発明の詳細な説明】
【技術分野】
【０００１】
本発明は、無線基地局装置に係り、特に小規模セルで特定の端末のみが利用可能な基地局において、ユーザが、利用可能な端末の端末番号を容易に確認することができ、利便性を向上させることができる無線基地局装置に関する。
【背景技術】
【０００２】
［先行技術の説明：図４，図５］
一般に、無線基地局装置は、通信事業者によって設置され、ユーザが携帯する端末と無線通信を行って、通話、メール送受信、データ配信等の各種サービスを提供するものである。
従来の無線基地局装置を用いた無線通信システムについて図４を用いて説明する。図４は、従来の無線通信基地局を用いたシステムの模式説明図である。
図４の無線基地局１は、不特定多数の端末３との通信が可能なものである。そして、端末３は、無線基地局装置１及び上位局４を介して、ネットワーク網５に含まれる他の通信事業者の端末やサーバ等と接続可能となっている。
【０００３】
しかし、不特定多数のユーザに対するサービスでは、無線基地局装置１、上位局４、ネットワーク網５の処理能力や通信方式により回線容量が決定されるため、多くのユーザで回線容量をシェアする場合には、通信スピードが制限されることがある。
【０００４】
そこで、別の従来の無線基地局装置として、予め登録された特定の端末のみとの通信が可能な特定ユーザ向けのものもあった。
図５は、特定ユーザ向けの無線基地局装置を備えたシステムの模式説明図である。
図５に示すように、特定ユーザ向けの無線基地局装置１′は、小規模セルをカバーして、家庭内等に設置され、予め登録された番号の端末３のみが当該無線基地局装置１′との通信を行って上記と同様のサービスを受けることができるものである。
【０００５】
図５の例では、端末３ａは、無線基地局装置１′に予め登録されており、無線基地局装置１′を介して通信サービスを受けることができるが、端末３ｂは、無線基地局装置１′に登録されておらず、無線基地局装置１′を介した通信はできない。そこで、端末３ｂは、近くに不特定多数の端末と接続可能な別の無線基地局装置１があれば、無線基地局装置１に接続してサービスを受けることになる。
【０００６】
［先行技術文献］
尚、無線基地局装置に関する先行技術としては、特開平６−２６１３６２号公報（特許文献１）がある。
特許文献１には、無線基地局に、予めデータとして、自己の機器種別、機器番号、ソフト版数、サポート可能なサービス等を記憶させ、電源投入を契機に上記情報を無線基地局制御装置、あるいは網サービス制御装置に送信し、一方、受信した装置側で、自己の持つ無線基地局管理情報を付与・編集し、無線基地局へダウンロードする無線基地局増設制御方式が記載され、これにより保守作業の省力化及び局情報誤設定防止を図り、増設無線基地局サービスエリアの利用者に対する迅速なサービス開始を提供することが記載されている。
【０００７】
【特許文献１】特開平６−２６１３６２号公報
【発明の開示】
【発明が解決しようとする課題】
【０００８】
しかしながら、上記従来の特定ユーザ向けの無線基地局装置では、ユーザが携帯する端末からは無線基地局装置に登録されている利用可能な端末の番号を容易に確認することができず、不便であるという問題点があった。
特に、追加登録や登録削除等の設定操作を行う際には、現在の登録状況の確認ができないために大変不都合であった。
【０００９】
本発明は上記実状に鑑みて為されたもので、特定ユーザ向けの無線基地局装置に登録されている利用可能な端末の番号を容易に確認でき、利便性を向上させることができる無線基地局装置を提供することを目的とする。
【課題を解決するための手段】
【００１０】
上記従来例の問題点を解決するための本発明は、無線通信システムにおいて、予め登録された特定の利用可能端末との無線通信を行う無線基地局装置であって、利用可能端末の端末番号を記憶する記憶部と、指示を入力する入力部と、情報を表示する表示部と、入力部から利用可能端末の端末番号を表示する指示が入力されると、記憶部に登録されている利用可能端末の端末番号を読み出して、表示部に表示出力する演算部とを備えたことを特徴としている。
【００１１】
また、上記従来例の問題点を解決するための本発明は、無線通信システムにおいて、予め登録された特定の利用可能端末との無線通信を行う無線基地局装置であって、利用可能端末の端末番号を記憶する記憶部と、近距離無線通信を用いて外部の装置と送受信を行う近距離無線通信インタフェース部と、指示を入力する入力部と、情報を表示する表示部とを備え、近距離無線通信インタフェース部で、外部の装置から利用可能端末の端末番号を要求するコマンドを受信すると、記憶部に登録されている利用可能端末の端末番号を読み出して、コマンドの要求元の装置に近距離無線通信を介して送信すると共に、入力部から利用可能端末の端末番号を表示する指示が入力されると、記憶部に登録されている利用可能端末の端末番号を読み出して、表示部に表示出力する演算部とを備えたことを特徴としている。
【発明の効果】
【００１２】
本発明によれば、予め登録された特定の利用可能端末との無線通信を行う無線基地局装置であって、演算部が、入力部から利用可能端末の端末番号を表示する指示が入力されると、記憶部に登録されている利用可能端末の端末番号を読み出して、表示部に表示出力する無線基地局装置としているので、ユーザが、無線基地局装置から指示を入力すれば、当該無線基地局装置で利用できる端末の番号を容易に確認することができ、利便性を向上させることができる効果がある。
【００１３】
また、本発明によれば、予め登録された特定の利用可能端末との無線通信を行う無線基地局装置であって、演算部が、近距離無線通信インタフェース部で、外部の装置から利用可能端末の端末番号を要求するコマンドを受信すると、記憶部に登録されている利用可能端末の端末番号を読み出して、コマンドの要求元の装置に近距離無線通信を介して送信すると共に、入力部から利用可能端末の端末番号を表示する指示が入力されると、記憶部に登録されている利用可能端末の端末番号を読み出して、表示部に表示出力する無線基地局装置としているので、ユーザが、外部の装置又は無線基地局装置から指示を入力すれば、当該無線基地局装置で利用できる端末の番号を容易に確認することができ、利便性を向上させることができる効果がある。
【発明を実施するための最良の形態】
【００１４】
［実施の形態の概要］
本発明の実施の形態について図面を参照しながら説明する。
本発明の実施の形態に係る無線基地局装置は、表示部と操作部と近距離無線通信のインタフェースとを備え、近距離無線通信を介して、端末から利用可能端末番号の要求を受信すると、メモリに記憶されている利用可能端末番号を読み出して、近距離無線通信によって要求元の端末に送信すると共に、操作部からの指示に応じて、メモリから利用可能端末番号を読み出して表示部に表示するものであり、ユーザが、端末又は無線基地局装置の操作部から指示を入力すれば、端末又は無線基地局装置の表示部で容易に利用可能端末の番号を確認でき、利便性を向上させることができるものである。
【００１５】
［実施の形態の概略：図１］
図１は、本発明の実施の形態に係る無線基地局装置と端末との通信方法を示す模式説明図である。
図１に示すように、本実施の形態に係る無線基地局装置（本基地局装置）１０は、従来と同様に上位局やネットワーク網３０に有線（光回線等）によって接続し、また、登録された携帯端末との無線通信を行い（図示せず）、更に、本装置の特徴として、微弱電波によって表示端末２０との近距離無線通信を行うインタフェースを備えている。
近距離無線通信のインタフェースとしては、微弱無線を用いるBluetooth（登録商標）、ZigBee（登録商標）や、赤外線インタフェース等が考えられる。
【００１６】
表示端末２０としては、本基地局装置１０との近距離無線通信を行うインタフェースと、表示部とを備えた端末で、本基地局装置１０と送受信を行うアプリケーションプログラムを備えていればよく、携帯電話機２０ａやＰＣ（Personal Computer）２０ｂが考えられる。以降の説明では、単に表示端末２０とする。
【００１７】
そして、本基地局装置１０は、表示端末２０から近距離無線通信を介して送信された要求を受信すると、要求に応じて、内部のメモリに登録されている当該基地局装置を利用可能な端末の番号等のデータを読み出して、近距離無線通信で要求元の端末２０に送信するものである。
このとき、表示端末２０からの要求には、無線基地局装置１０の識別番号が含まれている必要があり、図１に示すように、取り扱い説明書や無線基地局装置１０本体に識別番号を記載しておくとユーザにとって便利である。
【００１８】
［実施の形態の構成：図２］
本発明の実施の形態に係る無線基地局装置１０と表示端末２０の構成について図２を用いて説明する。図２は、本発明の実施の形態に係る無線基地局装置１０と表示端末２０の構成ブロック図である。
図２に示すように、本基地局装置１０は、演算部１１と、メモリ１２と、近距離通信インタフェース部１３と、表示部１４と、操作部１５とを備えている。また、図示は省略するが、従来と同様の部分として、上位局との有線通信を行う送受信部や、携帯端末との通信を行う無線送受信部及びそれらの通信に伴う信号処理を行う信号処理部を備えている。
【００１９】
演算部１１は、無線基地局装置１０全体の処理制御を行うものであり、ＣＰＵ（Central Processing Unit）等で構成される。演算部１１は、メモリ１２に記憶されているプログラムを起動し、プログラムに従って処理を行う。本基地局装置１０の特徴として、演算部１１は、表示端末２０からの要求（コマンド）に応じて処理を行うものである。例えば、演算部１３は、利用可能端末番号要求のコマンドを受信すると、メモリ１２から登録端末の番号のデータを読み出し、近距離通信インタフェース部１３を介して表示端末２０に送信する処理を行う。
【００２０】
更に、本基地局装置１０の特徴として、演算部１１は、操作部１５から入力される利用可能端末の番号を表示させる指示に従って、メモリ１２に登録されている利用可能端末の番号を読み出して、表示部１４に表示する制御を行う。
これにより、本基地局装置１０では、登録されている利用可能端末の番号を、表示端末２０又は本基地局装置１０の表示部における表示によってユーザが容易に確認することができ、追加登録や登録削除といった設定の際にも利便性を向上させることができるものである。
【００２１】
メモリ１２は、データ及びプログラムを記憶するものであり、本基地局装置１０では、近距離無線通信によって表示端末２０とのデータ送受信を行うアプリケーションプログラムや表示部１４に表示を行うための処理プログラムが記憶されている。
また、メモリ１２には、表示端末２０から送信されるコマンドに対応する処理プログラムが記憶されている。
更に、メモリ１２には、当該無線基地局装置１０を利用できるように予め登録された利用可能端末の番号が記憶されている。利用可能端末の番号は、予め規定された一定数まで登録することができるものである。
【００２２】
近距離通信インタフェース部１３は、上述したように、微弱無線や赤外線等により近距離無線通信を行うインタフェースである。
表示部１４は、演算部１１からの指示により、現在の設定状況や、利用可能端末の番号等のデータを表示する。
操作部１５は、キーボードやタッチパネル等の入力部を備え、特に本基地局装置１０では、利用可能端末の番号を表示部１４に表示させるための指示を入力する。
【００２３】
また、表示端末２０は、演算部２１と、メモリ２２と、近距離通信インタフェース部２３と、表示部２４と、操作部２５とを備えている。
演算部２１は、操作部２５からの指示により、本基地局装置１０に対して基地局の情報を要求したり、利用可能端末の番号を要求するコマンドを送信し、要求に応じて返信されたデータを表示部２４に表示する処理を行う。
【００２４】
メモリ２２には、本基地局装置１０との近距離無線通信を介したデータの送受信を行うためのアプリケーションプログラムが記憶されている。また、本基地局装置１０に対する利用登録端末の番号登録や登録削除、更に本基地局装置１０に登録されている利用可能端末の番号を送信する等の動作を行わせるためのコマンドが設けられている。
近距離通信インタフェース部２３は、本基地局装置１０と近距離無線通信を行うインタフェースであり、本基地局装置１０の近距離通信インタフェース部１３と同様の構成である。
【００２５】
操作部２５は、アプリケーションプログラムの起動を指示したり、メニューから指示を選択して入力する。
表示部２２は、メニューを表示したり、無線基地局装置１０から送信された利用可能端末の番号等の情報を表示するものである。
【００２６】
［表示端末と無線基地局装置との送受信シーケンス：図３］
次に、表示端末２０から無線基地局装置１０への情報要求を行う際のシーケンスについて図３を用いて説明する。図３は、表示端末２０から無線基地局装置１０への情報要求時の送受信シーケンスを示すシーケンス図である。
図３に示すように、表示端末２０から無線基地局装置１０への情報要求時には、表示端末２０の操作部２５によって、メニューから基地局設定確認メニューが選択されると、演算部２３は対応するアプリケーションを起動する（Ｓ１１）。
【００２７】
表示端末２０の演算部２１は、まず、無線基地局装置１０に対して基地局の設定情報を要求する情報要求を送信する（Ｓ１２）。情報要求には、基地局の識別番号やセキュリティのためのシリアルキー、及び自身の端末番号を付して、近距離通信インタフェース部２３から送信する。無線基地局装置１０の識別番号は、基地局装置本体に記載しておいたり、取り扱い説明書に記載しておくとよい。
【００２８】
無線基地局装置１０の演算部１１は、近距離通信インタフェース部１３で表示端末２０からの情報要求を受信する（Ｓ２１）と、要求に含まれる基地局の識別番号から自己宛であることを確認し、要求元の端末番号を読み取って保持し（Ｓ２２）、表示端末２０から当該無線基地局装置１０に対して登録、情報確認等の要求を行うために必要な設定情報を読み出して、近距離通信インタフェース部１３を介して要求元の表示端末２０に送信する（Ｓ２３）。
尚、無線基地局装置１０は、ＬＥＤ等の点灯や点滅により送信中であることを示す構成としてもよい。
【００２９】
表示端末２０の演算部２１は、無線基地局装置１０から設定情報を受信して、表示部２４に当該設定情報を表示する（Ｓ１３）。
このとき、Ｓ１２で要求を送信した無線基地局装置１０から一定時間応答がなかった場合には、演算部２１は、エラーと判断して再びメニュー表示を行う。
【００３０】
そして、表示端末２０では、操作部２５からの指示により、メニューからコマンドが選択されると、演算部２１は、Ｓ１３で取得した本基地局装置１０の設定情報と、当該コマンド及び端末番号を含む送信データを近距離通信インタフェース部１３を介して本基地局装置１０に送信する（Ｓ１４）。
コマンドの例としては、利用可能端末の番号を要求する利用可能端末番号要求コマンド等がある。また、表示端末２０は、ＬＥＤ等の点灯や点滅により送信中であることを示す構成としてもよい。
【００３１】
無線基地局装置１０では、コマンドを受信すると（Ｓ２４）、演算部１１が無線基地局装置の識別番号から自己宛と判断し、送信元端末番号を確認し（Ｓ２５）、コマンドに対応する処理を実行して（Ｓ２６）、コマンド実行結果を表示端末２０に送信する（Ｓ２７）。
【００３２】
表示端末２０では、結果を受信して（Ｓ１５）、表示し（Ｓ１６）、処理を終わる。
このようにして、無線基地局装置１０と表示端末２０との間の近距離無線通信を介した送受信が行われるものである。
【００３３】
［表示端末からの送信データ例］
表示端末２０から無線基地局装置１０への送信データは、例えば、「送信スタート＋送信先の無線基地局装置１０の識別番号＋送信元の表示端末２０の端末番号＋シリアルキー＋送信したい内容＋チェックＳＵＭ＋送信エンド」の構成となっている。
「シリアルキー」は、「送信したい内容」が無線基地局装置１０側において不正に変更されないようにするためのセキュリティＩＤや暗号キーである。
チェックＳＵＭは、データに誤りがないかチェックするシンボルである。
【００３４】
「送信したい内容」は、予め無線基地局装置１０と表示端末２０との間で取り決められているコマンドや、端末の番号等の内容である。
コマンドとしては、例えば「0001」は、無線基地局装置に対して設定情報を要求する無線基地局装置設定情報要求コマンド、「0010」は、無線基地局装置に登録されている利用可能端末の番号を要求する利用可能端末番号要求コマンドである。
例えば、端末を利用可能端末として登録する場合には、「設定」を指示するコマンドに、登録可能台数の中の何番かを特定する端末No.と、それに対応して登録する端末の電話番号とを含む内容を付したものが「送信したい内容」となる。
【００３５】
［無線基地局装置からの送信データ例］
同様に、無線基地局装置１０から表示端末２０への送信データは、例えば、「送信スタート＋送信元の無線基地局装置１０の識別番号＋送信先の表示端末２０の端末番号＋送信したい内容＋チェックＳＵＭ＋送信エンド」の構成となっている。
この場合の「送信したい内容」は、表示端末２０からのコマンドに基づいて無線基地局装置１０が処理を行った結果であり、例えば、利用可能端末番号要求コマンドに対しては、メモリ１２から読み出された利用可能端末の電話番号である。
【００３６】
［実施の形態の効果］
本発明の実施の形態に係る無線基地局装置１０によれば、近距離通信インタフェース部１３を備え、表示端末２０から近距離無線通信によって利用可能端末番号の要求を受信すると、演算部１１が、メモリ１２に記憶されている利用可能端末番号のデータを読み出して、当該データを近距離通信インタフェース部１３を介して要求元の表示端末２０に送信すると共に、操作部１５からの利用可能端末番号の表示の指示に応じて、メモリ１２から利用可能端末番号のデータを読み出して、表示部１４に表示する無線基地局装置１０としているので、ユーザは、表示端末２０又は無線基地局装置１０の操作部１５から指示を入力すれば、表示端末２０又は無線基地局装置１０の表示部に利用可能端末の番号を表示させることができ、特定ユーザ向けの無線基地局装置の利便性を向上させることができ、特に追加登録時や登録削除の際に、現在の登録状況や、変更後の登録状況を表示で確認でき、登録や削除の作業を容易にすることができる効果がある。
【産業上の利用可能性】
【００３７】
本発明は、ユーザが、利用可能な端末の端末番号を容易に確認することができ、利便性を向上させることができる無線基地局装置に適している。
【図面の簡単な説明】
【００３８】
【図１】本発明の実施の形態に係る無線基地局装置と端末との通信方法を示す模式説明図である。
【図２】本発明の実施の形態に係る無線基地局装置１０と表示端末２０の構成ブロック図である。
【図３】表示端末２０から無線基地局装置１０への情報要求時の送受信シーケンスを示すシーケンス図である。
【図４】従来の無線通信基地局を用いたシステムの模式説明図である。
【図５】特定ユーザ向けの無線基地局装置を備えたシステムの模式説明図である。
【符号の説明】
【００３９】
１…無線基地局装置、  ３…端末、  ４…上位局、  ５…ネットワーク網、  １０…無線基地局装置、  １１，２１…演算部，  １２，２２…メモリ、  １３，２３…近距離通信インタフェース部、  １４，２４…表示部、  １５，２５…操作部、  ２０…表示端末、  ３０…ネットワーク網
【図１】
2009105608.tif 000003
【図２】
2009105608.tif 000004
【図３】
2009105608.tif 000005
【図４】
2009105608.tif 000006
【図５】
2009105608.tif 000007